(57)【特許請求の範囲】
【請求項１】
情報記憶装置であって、
レーザ光源と；
対物レンズと、前記レーザ光源からのレーザビームを前記対物レンズ方向に反射すると共に部分的に透過させる第１立ち上げミラーと、前記対物レンズを移動させるアクチュエータと、前記第１立ち上げミラーを透過したレーザビームを全反射する第２立ち上げミラーとを有する光学ヘッドと；
前記光学ヘッドが取り付けられたキャリッジと；
前記キャリッジを第１の方向に移動させる第１駆動手段と；
前記キャリッジに搭載された磁気ヘッドを有する磁気ヘッドアセンブリと；
前記磁気ヘッドアセンブリに搭載された、前記第２立ち上げミラーで反射されたレーザビームを検出する光検出器とを具備し；
前記第２立ち上げミラーで反射されたレーザビームと前記光検出器により、前記光学ヘッドと前記磁気ヘッドの相対的な位置ずれを検出することを特徴とする情報記憶装置。
【請求項２】
前記光学ヘッドと前記磁気ヘッドの相対的な位置ずれは、前記第２立ち上げミラーと前記光検出器が、前記情報記憶装置内にロードされた透明部分を有する情報記録媒体の該透明部分に位置するときに検出する請求項１記載の情報記憶装置。
【請求項３】
前記透明部分は前記情報記録媒体の内周部分に形成されている請求項２記載の情報記憶装置。
【請求項４】
前記光学ヘッドと前記磁気ヘッドの相対的な位置ずれを補正するために、前記磁気ヘッドを移動させる第２駆動手段を更に具備した請求項２記載の情報記憶装置。
【発明の詳細な説明】
【発明の属する技術分野】
本発明は、一般的に情報記憶装置に関し、特に、光学ヘッドと磁気ヘッドの相対的な位置ずれを検出する機構を具備した光磁気ディスク装置（光磁気ディスクドライブ）に関する。
【従来の技術】
光磁気ディスク装置は、年々高密度化を要求されており、情報の記録に様々な方式が開発されている。ＩＳＯ規格に採用されている光変調方式は、外部磁界を一定方向に印加したままレーザビームを記憶データで変調することにより、情報を光磁気記録媒体に記録する。この光変調方式においては、情報の記録密度はビームスポットのサイズにより限定される。
これに対し、一定強度のレーザビームを照射したまま外部磁界を記録データで変調する磁界変調方式は、ビームスポットのオーバーラップが可能なため、光変調方式に比べて高密度記録に有利であると考えられている。
外部磁界を記録すべきデータで高速に変調するため、磁気ヘッドとして浮上磁気ヘッドが使用されており、浮上磁気ヘッドの形状と動作原理は磁気ディスク装置に使用されている磁気ヘッドと概略同一である。光磁気ディスクが回転すると、磁気ヘッドはディスク上約１０μｍ程度の高さで浮上しながら、ビームスポット内にデータを記録する。
この浮上磁気ヘッドは、従来の光変調方式で使用されている電磁石バイアス磁界に比較して磁化範囲が狭い。また、今後の高密度記録に向け、光学ヘッドにより形成されるビームスポット径と磁気ヘッドの磁化範囲はますます小さくなると予想される。高密度記録を達成するためには、光学ヘッドと磁気ヘッドとの相対的な位置を正確に合わせることが必要である。
従来の磁界変調方式の光磁気ディスク装置においては、光学ヘッドと磁気ヘッドは、装置の組み立て時に一度位置合わせをするだけで、組み立て後に熱変形等により相対的な位置がずれても、自動的に相対的位置を調整する機構は設けられていない。
特開平５−６５９３号公報には、光学ヘッドと磁気ヘッドの相対的な位置ずれを補正する機構が開示されている。この公開公報に開示された光磁気ディスク装置によると、磁気ヘッドは光学ヘッドと完全に独立して移動される。よって、磁気ヘッドにも光学ヘッドと同じ動作距離が必要で、アクチュエータが大きくなる可能性が大きい。
また、位置ずれ検出手段を磁気ヘッド及び光学ヘッドの後端、即ち半導体レーザを有する固定光学系側に配置しているため、この検出手段の分だけ固定光学系の設計に自由度がなくなる点においても、装置の小型化が困難である。
【発明が解決しようとする課題】
このように従来の磁界変調方式の光磁気ディスク装置においては、磁気ヘッドと光学ヘッドの相対的な位置ずれを自動的に検出し、装置を大型化せずに位置ずれ補正機構を具備するようにした光磁気ディスク装置は提案されていない。
よって、今後の高密度記録化に備えて、磁気ヘッドと光学ヘッドの相対的位置ずれを自動的に検出し、簡単な構造の位置ずれ補正機構を設けることは極めて重要である。
また、装置が作動中は磁気ヘッドは光磁気ディスク上を低く浮上しているため、常にディスクと接触し、磁気ヘッドが破壊される危険を孕んでいる。従来は磁気ヘッドの破壊防止又は破壊を低減する仕組みは特に施されていない。よって信頼性向上のために、装置作動中に磁気ヘッドのディスクとの衝突を防止する機構を設けることも極めて重要である。
よって、本発明の目的は、磁気ヘッドと光学ヘッドの相対的な位置ずれを自動的に検出し、位置ずれを補正する機構を具備した情報記憶装置を提供することである。
【課題を解決するための手段】
本発明によると、情報記憶装置であって、レーザ光源と；対物レンズと、前記レーザ光源からのレーザビームを前記対物レンズ方向に反射すると共に部分的に透過させる第１立ち上げミラーと、前記対物レンズを移動させるアクチュエータと、前記第１立ち上げミラーを透過したレーザビームを全反射する第２立ち上げミラーとを有する光学ヘッドと；前記光学ヘッドが取り付けられたキャリッジと；前記キャリッジを第１の方向に移動させる第１駆動手段と；前記キャリッジに搭載された磁気ヘッドを有する磁気ヘッドアセンブリと；前記磁気ヘッドアセンブリに搭載された、前記第２立ち上げミラーで反射されたレーザビームを検出する光検出器とを具備し；前記第２立ち上げミラーで反射されたレーザビームと前記光検出器により、前記光学ヘッドと前記磁気ヘッドの相対的な位置ずれを検出することを特徴とする情報記憶装置が提供される。
一般的に、光磁気ディスクは磁性膜が塗布されずに透明基板が剥き出しとなった内周透明部分を有している。よって、光学ヘッドと磁気ヘッドの相対的な位置ずれは、発光素子と光検出器が装置内にロードされた光磁気ディスクの内周透明部分に位置するときに検出する。
情報記憶装置は更に、光学ヘッドと磁気ヘッドの相対的な位置ずれを補正するために、磁気ヘッドを移動する第２駆動手段を具備している。好ましくは、第２駆動手段はコイルと永久磁石の組み合わせからなるボイスコイルモータから構成される。磁気ヘッドアセンブリは、ヘッドアームと、このヘッドに弾性的に支持されるサスペンションを含んでおり、磁気ヘッドはサスペンションに搭載されている。
【発明の実施の形態】
以下、図面を参照して、本発明の数多くの実施形態について説明する。全ての実施形態について、実質的に同一構成部分については同一符号を付して説明する。
図１を参照すると、光磁気ディスク装置２の全体構成が概略的に示されている。符号４は光磁気ディスク装置２のディスクエンクロージャ又はベースを示しており、ディスクエンクロージャ４には一対の磁気回路２０、一対のガイドレール２４、半導体レーザ２６等が搭載されている。
図１は光磁気ディスクカートリッジ６が光磁気ディスク装置２内に完全にロードされた状態を示しており、光磁気ディスク１０はカートリッジシェル（カートリッジケース）８内に収容されている。この状態においては、光磁気ディスク１０がカートリッジシェル８に形成された開口を通して、スピンドルモータ１２にクランプされる。
符号１４は光学ヘッド１６を担持したキャリッジであり、磁気回路２０に対応する位置に一対のコイル２２を具備している。磁気回路２０とコイル２２とでボイスコイルモータ（ＶＣＭ）が構成され、コイル２２に電流を流すと、キャリッジ１４が一対のガイドレール２４に案内されて光磁気ディスク１０の半径方向に移動する。
光学ヘッド１６は対物レンズ１８を有している。符号２８は磁気ヘッド３６を有する磁気ヘッドアセンブリであり、その基端部がキャリッジ１４に取り付けられている。
情報記録時には、半導体レーザ（ＬＤ）２６及び磁気ヘッド３６を駆動する。半導体レーザ２６から矢印方向に出射されたレーザビームは、図示しない立ち上げミラーにより紙面に垂直な方向に反射され、対物レンズ１８によりディスク１０上に集光される。
このとき磁界変調された磁気ヘッド３６で外部磁界を印加すると、ディスク１０上に記録ピット（記録マーク）が形成される。情報記録時又は情報再生時に、一対のコイル２２に通電すると、キャリッジ１４は目的の記録トラックに向けてシークする。
図２を参照すると、本発明第１参考形態の概略平面図が示されている。この図面及び以下の数多くの図面において、光磁気ディスク装置の数多くの構成部分のうち、発明の説明に必要な構成部分のみを示し、他の構成部分は省略してある。
カートリッジシェル８内に収容された光磁気ディスク１０は、透明基板上に磁性膜の塗布された記録部分１０ａと、透明基板が露出した内周透明部分１０ｂとを有している。記録部分１０ａは多数の記録トラック３０を有している。
符号２８は磁気ヘッドアセンブリを示しており、図３及び図５に示されるようにキャリッジ１４にその基端部が固定されている。磁気ヘッドアセンブリ２８は、キャリッジ１４に固定されたヘッドアーム３２と、ヘッドアーム３２に弾性的に支持されたサスペンション３４とを含んでいる。
図５及び図８に最も良く示されるように、サスペンション３４の中間部分には電磁トランスデューサ３７を有する磁気ヘッド３６が搭載されており、先端部分には光検出器３８が搭載されている。
一方、キャリッジ１４に搭載された光学ヘッド１６が光磁気ディスク１０の下側に位置付けされている。図４及び図６に最も良く示されているように、光学ヘッド１６はキャリッジ１４に固定されるアクチュエータベース４０を有しており、アクチュエータベース４０にはブロック４２がかしめ固定されている。ブロック４２には対物レンズ１８を保持するレンズホルダ４６が、４本のワイヤ４４で片持ち状態で支持されている。
レンズホルダ４６にはフォーカスコイル４８が巻回されており、フォーカスコイル４８上には４つのトラックコイル５０が取り付けられている。アクチュエータベース４０と一体的に一対のアウターヨーク５２が形成されており、各アウターヨーク５２には永久磁石５４が取り付けられている。
アクチュエータベース４０には更に一対のインナーヨーク５６が固定されており、各磁石５４とインナーヨーク５６でフォーカスコイル４８及びトラックコイル５０をサンドウィッチしている。一方のアウターヨーク５２の上部には発光ダイオード（ＬＥＤ）等の発光素子５８が搭載されている。
レンズホルダ４６を支持する４本のワイヤ４４と、フォーカスコイル４８と、トラックコイル５０と、ヨーク５２，５６と、磁石５４とにより対物レンズ１８を移動するアクチュエータ１７が構成される。
図７は磁気ヘッドアセンブリ２８の平面図を示しており、図１０はその背面図を示している。図８に示されるように、磁気ヘッドアセンブリ２８はその基端部がキャリッジ１４に固定されるヘッドアーム３２と、ヘッド３２に板バネ６０を介して弾性的に支持されているサスペンション３４を含んでいる。
板バネ６０は図９に示されるように折り曲げられており、ヘッドアーム３２及びサスペンション３４にそれぞれ接着等により固定されている。サスペンション３４の基端部にはコイル６２が固定されており、ヘッドアーム３２にはコイル６２に対向する位置に永久磁石６４が取り付けられている。コイル６２と永久磁石６４でボイスコイルモータ（ＶＣＭ）を構成する。
サスペンション３４の先端に搭載された光検出器３８は、図１１に示すように分割線３９により２つの部分３８ａ，３８ｂに分割されている。
しかして、光学ヘッド１６と磁気ヘッド３６との相対的な位置ずれは、発光素子５８から出射された光ビームを光検出器３８で検出することにより、検出される。
即ち、光検出器３８の２分割部分３８ａ，３８ｂで受光した光量をそれぞれａ，ｂとすると、受光量の差分ａ−ｂを取ることにより、光学ヘッド１６と磁気ヘッド３６との相対的な位置ずれが検出される。
ここで、光学ヘッド１６と磁気ヘッド３６との相対的な位置ずれについて、詳細に説明する。光学ヘッドと磁気ヘッドは組立上実質的に対向するように設計される。しかし、記録密度が高くなると、ビームスポットも小さくなり、外部磁場の与え方も狭い領域にしなければならず、光学ヘッドと磁気ヘッドの相対位置が少しでもずれていると記録が不可能になる。
従って、相対位置として合わせる目標は、対物レンズの中心、つまりビームスポットの中心と、磁気ヘッドのコイルの中心、つまり磁極の中心、インダクティブヘッドだと磁気ギャップの中心となる。何となれば、ビームスポットと外部磁場の位置が一致していることによって、完全なる記録が実現できるからである。
従って、センサを使用した光学ヘッドと磁気ヘッドの位置合わせを行うことによって、前述した目標となる相対位置関係が実現できるようにするために、センサの位置は高精度に作成する必要がある。
本参考形態においては、この受光量の差分ａ−ｂに応じて、コイル６２に流す電流の方向及びその大きさを調整する。受光量の差分に応じた電流がコイル６２に通電されると、サスペンション３４及び磁気ヘッド３６はキャリッジ１４の移動方向と直交する方向に移動される。
第１参考形態の光磁気ディスク装置においては、図２に示されるようにキャリッジ１４はＸ−Ｘ方向に移動され、磁気ヘッド３６はキャリッジの移動方向に直交するＹ−Ｙ方向に移動される。
更に、レンズホルダ４０を支持するワイヤ４４がＸ−Ｘ方向に伸長しているため、アクチュエータ１７はＹ−Ｙ方向に移動される。また、フォーカスコイル４８に通電することにより、対物レンズ１８は図３に示すようにＺ−Ｚ方向に移動される。
図１２を参照すると、磁気ヘッドアセンブリの代替参考形態２８′の背面図が示されている。ステンレス鋼から形成されたサスペンション３４′の基端部を打ち抜いて曲げ、この曲げ部３５をヘッドアーム３２に固定している。サスペンション３４′に曲げ部３５を形成することにより、上述した参考形態の板バネ６０を省略することができる。
次に、図１４に示した制御回路ブロック図を参照して、上述した参考形態の制御動作について説明する。スピンドル駆動回路７６によりスピンドルモータ１２を駆動すると、光磁気ディスク１０が高速で回転される。
レーザ駆動回路６６により半導体レーザ２６を駆動すると、半導体レーザ２６から一定強さのレーザビームが出射され、このレーザビームはビームスプリッタ６８を透過して、対物レンズ１８により光磁気ディスク１０上にフォーカスされる。
一方、記録信号を変調回路７０に入力して、磁気ヘッド駆動回路７２を記録信号に応じて駆動すると、磁気ヘッド３６により記録信号で変調された外部磁界が光磁気ディスク１０に印加され、ビームスポット内に記録信号に応じた記録ピットが形成される。
発光素子５８は発光素子駆動回路８６により駆動される。データ書き込み時には、発光素子５８からの光が光検出器３８で検出され、比較器８８で２分割部分３８ａ，３８ｂの受光量の差分を取ることにより、光学ヘッド１６と磁気ヘッド３６との相対的な位置ずれが検出される。
比較器８８の出力に応じて、動作コイル駆動回路９０により磁気ヘッド動作コイル６２に電流を流すと、磁気ヘッド３６が図２に示したＹ−Ｙ方向に移動し、磁気ヘッド３６と光学ヘッド１６との相対的な位置ずれが補正される。
このように本参考形態では、データ記録時に光学ヘッド１６と磁気ヘッド３６との相対的な位置ずれが検出され、この検出結果に応じて位置ずれが補正される。その結果、より高密度な記録が可能となる。
光磁気ディスク１０に記録されたデータの読み出し時には、磁気ヘッド３６は使用しない。レーザ駆動回路６６により半導体レーザ２６を駆動し、記録パワーよりも弱い再生パワーのレーザビームを半導体レーザ２６から出射させる。
このレーザビームは、対物レンズ１８により光磁気ディスク１０上にフォーカスされ、ディスク１０からの反射光が対物レンズ１８及び図示しない立ち上げミラーを介してビームスプリッタ６８に入力され、ビームスプリッタ６８で反射されて４分割光検出器７８上に集光される。
光磁気ディスク１０からの反射光は記録データに応じて磁気カー回転が変化するので、この磁気カー回転を復調回路８０で復調することにより、再生信号が得られる。
一方、４分割光検出器７８で検出した光は光量に応じて光−電気変換され、これらの電気信号が加算器及び比較器を介してフォーカス駆動回路８２に入力され、誤差信号に応じた電流がフォーカスコイル４８に供給され、対物レンズ１８をＺ方向に移動させる。
さらに、４分割光検出器７８からの誤差信号は比較器を介してトラッキング駆動回路８４に入力され、誤差信号に応じてトラックコイル５０に電流が供給されて、光学ヘッド１６を図２に示したＹ方向に移動させる。
また、キャリッジ駆動回路７４によりキャリッジコイル２２に所定方向及び所定強さの電流を供給すると、キャリッジ１４が図２に示すＸ方向に移動されて、目標トラックをシークする。
図１５を参照すると、本発明第２参考形態の概略平面図が示されている。本参考形態では、図１７に示すように光学ヘッド１６′が図４に示した光学ヘッド１６に対して、９０°回転した状態でキャリッジ１４に搭載されている。本参考形態の他の構成は、上述した第１参考形態と同様である。
光学ヘッド１６′をこのような位置関係でキャリッジ１４に搭載することにより、図１５に示すようにキャリッジ１４及び光学ヘッド（アクチュエータ）１６′の動作方向はＸ−Ｘ方向であり、磁気ヘッド３６の動作方向はＹ−Ｙ方向となる。
図１９を参照すると、本発明第３参考形態の概略平面図が示されている。図２１及び図２２に最も良く示されるように、本参考形態では磁気ヘッドアセンブリ２８Ａの構成が上述した第１参考形態の磁気ヘッドアセンブリ２８と相違する。
即ち、ヘッドアーム３２に形成した穴に滑り軸受９４が圧入されており、サスペンション３４に固定されたシャフト９２がこの滑り軸受９４中に回転可能に挿入されている。
サスペンション３４の基端部にはコイル６２′が固定されており、ヘッドアーム３２にコイル６２′に対向する位置に磁石６４′が取り付けられている。本参考形態の他の構成は、上述した第１参考形態と同様である。
このように本参考形態では、サスペンション３４が回動可能にヘッドアーム３２に取り付けられているため、磁気ヘッド３６はシャフト９２周りに回動動作をする。
図１９に示されるように、本参考形態では、キャリッジ１４はＸ−Ｘ方向に動作し、アクチュエータ１６はＹ−Ｙ方向に動作し、磁気ヘッド３６はＷ−Ｗ方向に動作する。
図２３を参照すると、本発明第４参考形態の概略平面図が示されている。本参考形態は、上述した第３参考形態の改良である。サスペンション３４がヘッドアーム３２に対して回動する構造であると、磁気ヘッド３６の可動範囲を広く取ることができる。
そこで、図２５に示すように、ヘッドアーム３２にロッド９６を圧入し、サスペンション３４の先端部に突出部９８を一体的に形成する。サスペンション３４がヘッドアーム３２に対して一定角度以上回動すると、図２６（Ｂ）に示すようにサスペンション３４の突出部９８がロッド９６上に乗り上げ、磁気ヘッド３６がディスク１０から持ち上がる。
これにより、データ書き込み時以外の時間、即ち、待機時やデータ読み出し時には、磁気ヘッド３６を持ち上げ位置に退避させておくことができ、磁気ヘッド３６とディスク１０との衝突の可能性を低減させることができる。
以上の説明では、本発明を磁界変調方式の光磁気ディスク装置に適用した場合について説明したが、本発明は光変調方式や磁気超解像記録方式の光磁気ディスク装置にも使用することができる。
特に、磁気超解像記録方式では、再生時にも磁界をかける必要があるので、待機時にのみ磁気ヘッドを退避させておき、データ書き込み時及びデータ読み出し時には磁気ヘッドはロードされる。
また、光変調方式の光磁気ディスク装置でも、今後の高密度記録化を考えると、磁気ヘッドを使用する構成を取る可能性があるため、本発明はこのような装置にも適用可能である。
図２７を参照すると、本発明第５参考形態の概略平面図が示されている。本参考形態は上述した第４参考形態に類似しており、図２９に示すようにサスペンション３４の先端部に突出部９８′が一体的に形成されている。
サスペンション３４がヘッドアーム３２に対して一定角度以上回動すると、サスペンション３４の突出部９８′が図３０に示すように、カートリッジ６の窓９７を画成するカートリッジシェル８に乗り上げ、磁気ヘッド３６がディスク１０から持ち上がる。本参考形態も、上述した第４参考形態と同様な効果を有している。
図３１を参照すると、本発明第６参考形態の磁気ヘッドアセンブリ２８Ｄの概略平面図が示されている。本参考形態は、磁気ヘッド３６のアクチュエータとしてコイル６２′及び磁石６４′からなるボイスコイルモータに代わって、圧電素子１００を採用したものである。
図３２に示されるように、サスペンション３４と一体形成された突部９３をヘッドアーム３２に形成した穴９１にかしめることにより、サスペンション３４はヘッドアーム３２に固定されている。図３１に示すように、ヘッドアーム３２はキャリッジ１４に圧電素子１００を介して支持されている。
よって、光検出器３８からの位置ずれ信号ａ−ｂに応じた電圧を圧電素子１００に印加すれば、ヘッドアーム３２は図３１に示すＹ−Ｙ方向に移動する。サスペンション３４はヘッドアーム３２に固定されているので、磁気ヘッド３６もＹ−Ｙ方向に移動する。
図３３は本発明第７参考形態の磁気ヘッドアセンブリ２８Ｅの概略平面図を示している。本参考形態は、磁気ヘッド３６のアクチュエータとしてボイスコイルモータと圧電素子１００の両方を採用したものである。
サスペンション３４は滑り軸受９４を介してヘッドアーム３２に回動可能に支持されており、サスペンション３４に固定したコイル６２′とヘッドアーム３２に取り付けた磁石６４′から構成されるボイスコイルモータにより、磁気ヘッド３６は図３３に示すＷ−Ｗ方向に回動する。
更に、ヘッドアーム３２は圧電素子１００を介してキャリッジ１４に支持されているので、圧電素子１００に電圧を印加すると、ヘッドアーム３２、即ち磁気ヘッド３６は図３３のＸ−Ｘ方向に動作する。従って、磁気ヘッド３６は光学ヘッド１６に対し、２方向の位置ずれ補正が可能となる。
尚、本参考形態に限らず、例えば第２参考形態のように光学ヘッド１６と磁気ヘッド３６の動作を直交するように組み合わせれば、２方向の位置ずれ補正が可能になる。
光検出器３８′を、図３５に示すように分割線３９，４１により４つの部分３８ａ，３８ｂ，３８ｃ，３８ｄに分割すれば、更に良好な位置ずれ補正信号を得ることができる。
図３６を参照すると、本発明実施形態の一部断面正面図が示されている。立ち上げミラー１０２はレーザビームの約９０％を反射し、約１０％を透過するカプラ−膜１０３を有している。一方、立ち上げミラー１０４は光検出器３８の真下に位置し、光を全反射する。
半導体レーザ２６から出射したレーザビームは立ち上げミラー１０２でその約９０％が対物レンズ１８方向に反射され、約１０％が透過する。透過したレーザビームは立ち上げミラー１０４で全反射されて、ディスク１０の透明部分を透過して光検出器３８で検出される。本実施形態によれば、上述した各参考形態の発光素子５８を省略することができる。
図３７を参照すると、本発明第８参考形態の一部断面正面図が示されている。本参考形態は、半導体レーザ２６からのレーザビームを立ち上げミラー１０６で対物レンズ１８方向に全反射させ、対物レンズ１８を透過したレーザビームを光学ヘッド１６と磁気ヘッド３６との相対的な位置ずれの検出に利用するようにしたものである。
磁気ヘッド３６の近傍のサスペンション３４′に光検出器１０８が取り付けられている。本参考形態では、対物レンズ１８でディスク１０上にフォーカスされ、再びビーム径が広がったレーザビームを光検出器１０８で検出するため、図３８に示すように磁気ヘッド３６と干渉しないように光検出器１０８の形を変える必要がある。
更に、本参考形態では、光検出器１０８が磁気ヘッド３６に隣接して取り付けられているため、光学ヘッド１６と磁気ヘッド３６との相対的な位置ずれを検出するためには、必ずディスク１０の透明部分に対物レンズ１８が位置するようにキャリッジ１４を移動させてから、位置ずれの検出及び補正を行う必要がある。光検出器１０８は、図３９に示すように分割線１１０により２つの部分１０８ａ，１０８ｂに分割されている。
以上全ての参考形態及び実施形態において、光検出器３８と発光素子５８を磁気ヘッドアセンブリの先端、即ちスピンドルモータ側に配置したことにより、位置ずれ検出手段を磁気ヘッドアセンブリの後端、即ち、固定光学系側に配置した場合と比較して、装置の長手方向の寸法を小さくすることができる。
【発明の効果】
本発明は以上詳述したように構成したので、光磁気記録に使用する磁気ヘッドと光学ヘッドとの相対的な位置ずれを、装置動作中に検出、補正することができ、更なる高密度記録が可能となる。
磁気ヘッドと光学ヘッドとの相対的な位置ずれは、装置動作中に常時検出しても良いが、あるタイミングで検出するようにしても良い。例えば、媒体ロード時、記録や再生を実行する前、上位装置からの命令待ち時、タイマーによる規定間隔時間、温度計による装置温度変化時等のタイミングで、相対的な位置ずれを検出、補正するようにしても良い。
位置ずれ検出手段を磁気ヘッドアセンブリの先端側に設けたので、位置ずれ検出手段を取り付けるために光磁気ディスク装置の長手方向の寸法を伸ばす必要もない。
また、待機時及び情報の読み出し時には磁気ヘッドをディスク表面から退避させる機構を設けたので、信頼性の高い光磁気ディスク装置を提供することができる。
【図面の簡単な説明】
【図１】  光磁気ディスク装置の全体構成を示す平面図である。
【図２】  第１参考形態の要部を示す平面図である。
【図３】  第１参考形態の一部断面正面図である。
【図４】  第１参考形態に使用する光学ヘッドの平面図である。
【図５】  第１参考形態の拡大一部断面図正面図である。
【図６】  光学ヘッド斜視図である。
【図７】  第１参考形態の磁気ヘッドアセンブリ平面図である。
【図８】  図７の８−８線断面図である。
【図９】  図７の９−９線断面図である。
【図１０】  第１参考形態の磁気ヘッドアセンブリ背面図である。
【図１１】  光検出器の拡大図である。
【図１２】  磁気ヘッドアセンブリの代替参考形態背面図である。
【図１３】  図１２の１３−１３線断面図である。
【図１４】  第１参考形態の制御回路ブロック図である。
【図１５】  本発明第２参考形態の要部を示す平面図である。
【図１６】  第２参考形態の一部断面正面図である。
【図１７】  第２参考形態の光学ヘッド平面図である。
【図１８】  第２参考形態の拡大一部断面正面図である。
【図１９】  本発明第３参考形態の要部を示す平面図である。
【図２０】  第３参考形態の一部断面正面図である。
【図２１】  第３参考形態の磁気ヘッドアセンブリ平面図である。
【図２２】  図２１の２２−２２線断面図である。
【図２３】  本発明第４参考形態の要部を示す平面図である。
【図２４】  第４参考形態の磁気ヘッドアセンブリ断面図である。
【図２５】  第４参考形態の磁気ヘッドアセンブリ拡大平面図である。
【図２６】  図２６（Ａ）はサスペンションがロッドに乗り上げないときの図２５のＡ方向矢視図であり、図２６（Ｂ）はサスペンションがロッドに乗り上げたときの図２５のＡ方向矢視図である。
【図２７】  本発明第５参考形態の要部を示す平面図である。
【図２８】  第５参考形態の磁気ヘッドアセンブリ断面図である。
【図２９】  第５参考形態の磁気ヘッドアセンブリ拡大平面図である。
【図３０】  図２９のＡ方向矢視図である。
【図３１】  本発明第６参考形態の磁気ヘッドアセンブリ平面図である。
【図３２】  第６参考形態の磁気ヘッドアセンブリ一部断面正面図である。
【図３３】  本発明第７参考形態の磁気ヘッドアセンブリ平面図である。
【図３４】  第７参考形態の磁気ヘッドアセンブリ一部断面正面図である。
【図３５】  第７参考形態に使用する光検出器の拡大図である。
【図３６】  本発明実施形態の一部断面正面図である。
【図３７】  本発明第８参考形態の一部断面正面図である。
【図３８】  第８参考形態の磁気ヘッドアセンブリ背面図である。
【図３９】  第８参考形態に使用する光検出器の拡大図である。
【符号の説明】
６  光磁気ディスクカートリッジ
８  カートリッジシェル
１０  光磁気ディスク
１２  スピンドルモータ
１４  キャリッジ
１６  光学ヘッド
１８  対物レンズ
２０  磁気回路
２２  コイル
２４  ガイドレール
２６  半導体レーザ
２８  磁気ヘッドアセンブリ
３２  ヘッドアーム
３４  サスペンション
３６  磁気ヘッド
３８  光検出器
５８  発光素子
【図１】
0003657590.tif 000002
【図２】
0003657590.tif 000003
【図３】
0003657590.tif 000004
【図４】
0003657590.tif 000005
【図５】
0003657590.tif 000006
【図６】
0003657590.tif 000007
【図７】
0003657590.tif 000008
【図８】
0003657590.tif 000009
【図９】
0003657590.tif 000010
【図１０】
0003657590.tif 000011
【図１１】
0003657590.tif 000012
【図１２】
0003657590.tif 000013
【図１３】
0003657590.tif 000014
【図１４】
0003657590.tif 000015
【図１５】
0003657590.tif 000016
【図１６】
0003657590.tif 000017
【図１７】
0003657590.tif 000018
【図１８】
0003657590.tif 000019
【図１９】
0003657590.tif 000020
【図２０】
0003657590.tif 000021
【図２１】
0003657590.tif 000022
【図２２】
0003657590.tif 000023
【図２３】
0003657590.tif 000024
【図２４】
0003657590.tif 000025
【図２５】
0003657590.tif 000026
【図２６】
0003657590.tif 000027
【図２７】
0003657590.tif 000028
【図２８】
0003657590.tif 000029
【図２９】
0003657590.tif 000030
【図３０】
0003657590.tif 000031
【図３１】
0003657590.tif 000032
【図３２】
0003657590.tif 000033
【図３３】
0003657590.tif 000034
【図３４】
0003657590.tif 000035
【図３５】
0003657590.tif 000036
【図３６】
0003657590.tif 000037
【図３７】
0003657590.tif 000038
【図３８】
0003657590.tif 000039
【図３９】
0003657590.tif 000040